(57)【要約】【課題】開栓後キャップとボトルが別々になる為ゴミが増える。【解決手段】上蓋１と支持リング部２間に螺旋状の支持ベルト４を形成する事により、開栓時支持リング2と上蓋１を支持ベルト４によって連結した状態にする事で上蓋１を開栓後も保持可能としたうえ、廃棄時には支持ベルト４持ち引っ張る事で支持リング連結部７が破断し支持リング破断用切り込み１０に沿って支持リングが切れボトル１４と分別廃棄する事が出来るようにした。【選択図】図９
2011255953.tif 000002
【特許請求の範囲】
【請求項１】
ボトルキャップ上蓋の螺子部と支持リング間に螺旋状の切込みを加える事によって形成される支持ベルトの、ベルト上数箇所にボトルキャップから支持リング方向に連なる支持ベルトの断面積よりも小さい断面積の支持ベルト連結部を持ち、更に支持リング部には支持ベルトの断面積よりも小さな断面積を持つ支持リング連結部を形成するよう螺旋状の切込みを有し、ボトル螺子部よりボトル本体側に設けられたストッパー移動制限用突起に勘合するよう成型された支持リングストッパーを避けるように下端まで切り込みを加え、ボトルキャップ外周部及び支持リング外周部にキャップ天面に対して垂直方向になるように滑り止め用突起を設けた事を特徴とするボトルキャップに関する発明である。
【請求項２】
支持ベルト連結部の断面積は上蓋から支持リングに向けて断面積を徐々に小さく若しくは大きくして形成され、支持ベルトと上蓋及び支持リングの接合部は滑らかな面にて徐々に断面積を大きくするように成型される。
【請求項３】
ボトルキャップ及びボトルの螺子を多重螺旋にて成型される。
【発明の詳細な説明】
【技術分野】
【０００１】
本発明は、ボトルに対し保持力を有するボトルキャップに関するものである。
【背景技術】
【０００２】
従来の技術には、キャップと残存リングが分離する物やキャップとリング部を蝶番で連結したボトルキャップが知られている。
【特許文献１】特開２００６−１４３３２１号公報（第２頁、図１)
【発明の開示】
【発明が解決しようとする課題】
【０００３】
解決しようとする問題点は、従来のボトルキャップは開栓後キャップとボトルが別々になる為キャップを手で持ち続けなければならなく。又、ボトルとキャップが別々に投棄される事が多くゴミを増やす原因になっていた。
【０００４】
又、廃棄時も残存リングがボトル口に残る為分別も完全ではない。
【課題を解決するための手段】
【０００５】
ペットボトルのキャップは、回転して開閉する上蓋１と、開栓後もペットボトル側に残る支持リング部２とそれらを連結する連結部６の３つの部分から構成されており、一般的には一体成型により製造される。初開栓時においてはこの連結部６が切断されて上蓋１と支持リング部２が分離する仕組みを有することにより、初開栓時まで未開栓であることが保証される仕組みとなっている。
【０００６】
本発明は、上蓋１と支持リング部２間に螺旋状の支持ベルト４を形成する事により、開栓時に支持ベルト連結部６が破断し支持リング2と上蓋１を支持ベルト４によって連結した状態にする事で上蓋１を開栓後も保持可能とした事を最も主要な特徴とする。
【発明の効果】
【０００７】
本発明はボトルキャップ上蓋１が支持ベルト４により支持リング２と係合され開栓後もボトル１３に係号され保持する事が出来るため、上蓋１だけが投棄されゴミとなる事を防ぐ。
【０００８】
ボトル１３及びキャップの螺子が多重螺旋に成型されている為、開閉時のキャップの回転を少なく出来る。
【０００９】
また、開栓後は上蓋１が支持ベルト４によって保持される結果、落としたりする心配も無く衛生的であり手に持ち続ける必要も無い。
【００１０】
更に、廃棄時には支持ベルト４部分を引っ張る事で、支持リング連結部７が破断し支持リング２が外しやすくなる為ゴミの分別も容易く出来る。
【発明を実施するための最良の形態】
【００１１】
この発明の実施形態を図７及び図８及び図９及び図１０に示す。
【００１２】
この実施形態のボトルキャップは、ボトル１４の口部１１に設けられるプラスチック製のボトルキャップである。このボトルキャップは、全体が円筒状で上面を有し、円筒部及び支持リング外周には滑り止め用突起３が設けられ円筒内の上蓋にはボトル口１１に形成された１２雄螺子と同径の雌螺子４が形成され上部の上蓋１と下部の支持リング2及びそれらを連結する螺旋状に加えた支持ベルト形成用切り込み９によって形成された支持ベルト４並びに連結部６からなる。
尚、ボトルキャップ上蓋１の雄螺子５とボトル口１１に形成される雌螺子４を多重螺旋としても良い。
【００１３】
ボトルキャップは、上蓋１と支持リング２と支持ベルト３は所定の力で破断する連結部５により連結されている。すなわち、ボトルキャップの成形時に、上蓋１の下縁周囲と支持ベルト３上下縁周囲、支持リング２の上縁周囲とは、縁の周囲方向に一定間隔で設けられる小さな連結部分６により連結される。
【００１４】
支持リング２には、支持リング２がボトル１４から外れないように支持リングストッパー８が設けられ、ボトルキャッピング時にストッパー８を円筒内に折り込み上蓋１と支持リング２を滑り止め用突起３により同位相に保ちながらボトルキャップを右回転させ閉め込む事でボトル口螺子部１２の下方に設けられたストッパー移動制限用突起１３にストッパー８が引っ掛かり、支持リング２の移動方向を制限する。
【００１５】
開栓時はボトルキャップを左回転させると螺子５により上蓋１が上昇し、支持リング２はストッパー８によりその位置に留まる為、連結部６が破断し開栓すると共に支持ベルト４により支持リング２に連結され保持される。
【００１６】
廃棄時には支持ベルト４持ち引っ張る事で支持リング連結部７が破断し支持リング破断用切り込みに沿って支持リングが切れボトル１４と分別廃棄する。
【産業上の利用可能性】
【００１７】
上記において説明したように本発明は容易に実施可能である。
【図面の簡単な説明】
【００１８】
【図１】ボトルキャップ上面図
【図２】ボトルキャップ側面図
【図３】ボトルキャップ側方断面図
【図４】ボトルキャップ底面図
【図５】ストッパー折込時の側面断面図
【図６】ストッパー折込時のボトルキャップ底面図
【図７】ボトルキャップの締め付け時の断面図
【図８】ボトルキャップ閉栓時の断面図
【図９】開栓時の側面図
【図１０】廃棄時の側面図
【図１１】多重螺旋型螺子を持つボトルキャップの側方断面図
【図１２】多重螺旋型螺子を持つボトルキャップの底面図
【図１３】多重螺旋型螺子を持つボトル側面図
【符号の説明】
【００１９】
１    上蓋
２    支持リング
３    滑り止め用突起
４    支持ベルト
５    螺子
６    連結部
７    支持リング連結部
８    支持リングストッパー
９    支持ベルト形成用切り込み
１０    支持リング破断用切り込み
１１    ボトル口
１２    ボトル口螺子部
１３    ストッパー移動制限用突起
１４    トル
【図１】
2011255953.tif 000003
【図２】
2011255953.tif 000004
【図３】
2011255953.tif 000005
【図４】
2011255953.tif 000006
【図５】
2011255953.tif 000007
【図６】
2011255953.tif 000008
【図７】
2011255953.tif 000009
【図８】
2011255953.tif 000010
【図９】
2011255953.tif 000011
【図１０】
2011255953.tif 000012
【図１１】
2011255953.tif 000013
【図１２】
2011255953.tif 000014
【図１３】
2011255953.tif 000015
【手続補正書】
【提出日】平成23年1月7日(2011.1.7)
【手続補正１】
【補正対象書類名】明細書
【補正対象項目名】００１２
【補正方法】変更
【補正の内容】
【００１２】
この実施形態のボトルキャップは、ボトル１４の口部１１に設けられるプラスチック製のボトルキャップである。このボトルキャップは、全体が円筒状で上面を有し、円筒部及び支持リング外周には滑り止め用突起３が設けられ円筒内の上蓋にはボトル口１１に形成された雄螺子１２と同径の雌螺子５が形成され上部の上蓋１と下部の支持リング２及びそれらを連結する螺旋状に加えた支持ベルト形成用切り込み９によって形成された支持ベルト４並びに連結部６からなる。尚、ボトルキャップ上蓋１の雄螺子５とボトル口１１に形成される雌螺子１２を多重螺旋としても良い。<BR>
【手続補正２】
【補正対象書類名】明細書
【補正対象項目名】００１９
【補正方法】変更
【補正の内容】
【００１９】
１.     上蓋
２.     支持リング
３.     滑り止め用突起
４.     支持ベルト
５.     螺子
６.     連結部
７.     支持リング連結部
８.     支持リングストッパー
９.     支持ベルト形成用切り込み
１０.   支持リング破断用切り込み
１１.   ボトル口
１２.   ボトル口螺子部
１３.   ストッパー移動制限用突起
１４.   ボトル
【手続補正書】
【提出日】平成23年1月7日(2011.1.7)
【手続補正１】
【補正対象書類名】明細書
【補正対象項目名】００１２
【補正方法】変更
【補正の内容】
【００１２】
この実施形態のボトルキャップは、ボトル１４の口部１１に設けられるプラスチック製のボトルキャップである。このボトルキャップは、全体が円筒状で上面を有し、円筒部及び支持リング外周には滑り止め用突起３が設けられ円筒内の上蓋にはボトル口１１に形成された雄螺子１２と同径の雌螺子５が形成され上部の上蓋１と下部の支持リング２及びそれらを連結する螺旋状に加えた支持ベルト形成用切り込み９によって形成された支持ベルト４並びに連結部６からなる。尚、ボトルキャップ上蓋１の雌螺子５とボトル口１１に形成される雄螺子１２を多重螺旋としても良い。<BR>